(57)【要約】  本発明の実施例は、NFCアプリケーションとオペレータとをバインディングする方法、装置及び端末を開示し、NFCミドルウェアが端末の上層アプリケーションプログラムから送信した操作指令を受信した後、前記操作指令は前記端末がオペレータでオープンしたNFCサービス権限内にあるかどうかを判断し、前記操作指令は前記端末がオペレータでオープンしたNFCサービス権限内にあると確定する場合、前記操作指令をNFCデバイスに送信することと、前記NFCデバイスは前記操作指令における情報によりオリジナルNFCデータを読み取り、前記オリジナルNFCデータをデータ処理した後前記上層アプリケーションプログラムに送信することと、を含む。【選択図】図2
2016510190.tif 000002
【特許請求の範囲】
【請求項１】
NFCミドルウェアが端末の上層アプリケーションプログラムから送信した操作指令を受信した後、前記操作指令は前記端末がオペレータでオープンしたNFCサービス権限内にあるかどうかが判断され、前記操作指令は前記端末がオペレータでオープンしたNFCサービス権限内にあると確定される場合、前記操作指令をNFCデバイスに送信することと、
前記NFCデバイスは前記操作指令における情報によりオリジナルNFCデータを読み取り、前記オリジナルNFCデータをデータ処理した後前記上層アプリケーションプログラムに送信することと、を含む近距離場（NFC）アプリケーションとオペレータとをバインディングする方法。
【請求項２】
前記操作指令は前記端末がオペレータでオープンしたNFCサービス権限内にあるかどうかが判断されるステップは、前記NFCミドルウェアが前記操作指令を分析処理し、前記操作指令からNFC操作のタイプを分析し、前記NFC操作のタイプにより前記操作指令がオペレータのサービス権限内にあるかどうかを判断することを含む請求項1に記載の方法。
【請求項３】
前記NFC操作のタイプは、電子決済、オンラインセキュリティ検証、モバイルコンピューティング、リアルタイムデータ収集又は位置情報の発信を含む請求項2に記載の方法。
【請求項４】
前記NFCミドルウェアは前記端末ユーザ識別モジュール（SIM）カードにおける個人情報により、前記端末がオペレータでオープンしたサービス権限を取得することを更に含む請求項1又は2に記載の方法。
【請求項５】
前記NFCミドルウェアが前記オリジナルNFCデータをデータ処理した後前記上層アプリケーションプログラムに送信するステップは、
前記NFCミドルウェアが前記オリジナルNFCデータに対しデータチェック、データ濾過、データ分析及びデータ処理を行った後前記上層アプリケーションプログラムに送信することを含む請求項1又は2に記載の方法。
【請求項６】
端末の上層アプリケーションプログラムから送信した操作指令を受信するとともに、NFCデバイスから送信したオリジナルNFCデータを受信し、前記オリジナルNFCデータをデータ処理した後前記上層アプリケーションプログラムに送信するように設定される処理ユニットと、
前記処理ユニットにより受信された前記操作指令は前記端末がオペレータでオープンしたNFCサービス権限内にあるかどうかが判断され、前記操作指令は前記端末がオペレータでオープンしたNFCサービス権限内にあると確定される場合、前記操作指令を前記NFCデバイスに送信するように設定されるユーザ権限検証ユニットと、を含む近距離場通信（NFC）アプリケーションとオペレータとをバインディングする装置。
【請求項７】
前記処理ユニットは、前記端末の上層アプリケーションプログラムから送信した操作指令を受信し、前記操作指令を分析処理してNFC操作のタイプを分析し、前記NFCデバイスから送信したオリジナルNFCデータを受信し、前記オリジナルNFCデータをデータ処理した後前記上層アプリケーションプログラムに送信するように設定され、
前記ユーザ権限検証ユニットは、前記処理ユニットが分析したNFC操作のタイプにより前記操作指令がオペレータのサービス権限内にあるかどうかを判断し、前記NFC操作のタイプは前記端末がオペレータでオープンしたNFCサービス権限内にあると確定される場合、前記操作指令をNFCデバイスに送信するように設定される請求項6に記載の装置。
【請求項８】
前記ユーザ権限検証ユニットは更に、前記端末ユーザ識別モジュール（SIM）カードにおける個人情報により、前記端末がオペレータでオープンしたサービス権限を取得するように設定される請求項6又は7に記載の装置。
【請求項９】
前記処理ユニットは、端末の上層アプリケーションプログラムから送信した操作指令を受信し、前記操作指令を分析処理し、前記操作指令からNFC操作のタイプを分析するとともに、前記NFCデバイスから送信したオリジナルNFCデータを受信し、前記オリジナルNFCデータにデータチェック、データ濾過、データ分析及びデータ処理を行った後前記上層アプリケーションプログラムに送信するように設定されることを特徴とする請求項6又は7に記載の装置。
【請求項１０】
請求項6〜9のいずれか一項に記載のNFCアプリケーションとオペレータとをバインディングする装置を含む端末。
【発明の詳細な説明】
【技術分野】
【０００１】
本発明は通信技術分野に関し、特に近距離場通信（Near Field Communication、NFC）アプリケーションとオペレータとをバインディングする方法、装置及び端末に関する。
【背景技術】
【０００２】
NFCミドルウェアはNFCアプリケーションと底層プラットフォームとの間にある中間層ソフトウェアであり、ハードウェアとシステムソフトウェアとの差異を遮蔽するために、NFC関連アプリケーションの開発に汎用のプラットフォームを提供することを担当し、且つNFCアプリケーションに必要な各種類の汎用性の機能をミドルウェアに集積し、NFCアプリケーションの開発を行う第3者に統一されたアプリケーションインターフェースを提供する。現在代表的なNFCミドルウェアを図1に示す。
【０００３】
NFC技術の発展は電子決済、オンラインセキュリティ検証、モバイルコンピューティング、リアルタイムデータ収集、位置情報の発信等の分野に広い発展空間を提供するとともに、移動オペレータとNFCデバイス製造業者、金融機関との間の利益ゲームをもたらす。このため、オペレータにとってインテリジェント端末に上層NFCアプリケーションに軽量なユニバーサルサービスを提供することができるミドルウェアを有することにより、底層NFCデバイスの異質性と複雑性を遮蔽する必要があるだけでなく、このようなミドルウェアが具体的なNFCアプリケーションを移動オペレータとバインディングすることにより、オペレータ関連権限を取得したユーザのみがインテリジェント端末のNFCデバイスを使用することができることを更に期待する。このため、どのようにNFCアプリケーションが移動オペレータとバインディングすることを実現するかは、現在の解決しようとする急務になる。
【発明の概要】
【発明が解決しようとする課題】
【０００４】
上記の分析に鑑み、本発明の実施例は、NFCアプリケーションが移動オペレータとバインディングすることを実現するためのNFCアプリケーションとオペレータとをバインディングする方法、装置及び端末を提供する。
【課題を解決するための手段】
【０００５】
本発明はNFCアプリケーションとオペレータとをバインディングする方法を提供し、 
NFCミドルウェアが端末の上層アプリケーションプログラムから送信した操作指令を受信した後、前記操作指令は前記端末がオペレータでオープンしたNFCサービス権限内にあるかどうかが判断され、前記操作指令は前記端末がオペレータでオープンしたNFCサービス権限内にあると確定される場合、前記操作指令をNFCデバイスに送信することと、
前記NFCデバイスは前記操作指令における情報によりオリジナルNFCデータを読み取り、前記オリジナルNFCデータをデータ処理した後前記上層アプリケーションプログラムに送信することと、を含む。
【０００６】
好ましくは、NFCミドルウェアは端末の上層アプリケーションプログラムから送信した操作指令を受信した後、前記操作指令を分析処理し、前記操作指令からNFC操作のタイプを分析し、前記NFC操作のタイプにより前記操作指令がオペレータのサービス権限内にあるかどうかを判断する。
【０００７】
好ましくは、前記NFC操作のタイプは、電子決済、オンラインセキュリティ検証、モバイルコンピューティング、リアルタイムデータ収集又は位置情報の発信を含む。
【０００８】
好ましくは、前記NFCミドルウェアは前記端末SIMカードにおける個人情報により前記端末がオペレータでオープンしたサービス権限を取得することを更に含む。
【０００９】
好ましくは、前記NFCミドルウェアは前記オリジナルNFCデータをデータ処理した後前記上層アプリケーションプログラムに送信するステップは具体的に、
前記オリジナルNFCデータは順次にデータチェック、データ濾過、データ分析及びデータ処理を行った後、前記上層アプリケーションプログラムに送信することを含む。
【００１０】
本発明の実施例は、NFCアプリケーションとオペレータとをバインディングする装置を更に提供し、
端末の上層アプリケーションプログラムから送信した操作指令を受信するとともに、NFCデバイスから送信したオリジナルNFCデータを受信し、前記オリジナルNFCデータをデータ処理した後前記上層アプリケーションプログラムに送信するように設定される処理ユニットと、
前記処理ユニットにより受信された前記操作指令は前記端末がオペレータでオープンしたNFCサービス権限内にあるかどうかが判断され、前記操作指令は前記端末がオペレータでオープンしたNFCサービス権限内にあると確定される場合、前記操作指令をNFCデバイスに送信するように設定されるユーザ権限検証ユニットと、を含む。
【００１１】
好ましくは、前記処理ユニットは、前記端末の上層アプリケーションプログラムから送信した操作指令を受信し、前記操作指令を分析処理してNFC操作のタイプを分析し、前記NFCデバイスから送信したオリジナルNFCデータを受信し、前記オリジナルNFCデータをデータ処理した後前記上層アプリケーションプログラムに送信するように設定され、
前記ユーザ権限検証ユニットは、前記処理ユニットが分析したNFC操作のタイプにより前記操作指令がオペレータのサービス権限内にあるかどうかを判断し、前記NFC操作のタイプは前記端末がオペレータでオープンしたNFCサービス権限内にあると確定される場合、前記操作指令をNFCデバイスに送信するように設定される。
【００１２】
好ましくは、前記ユーザ権限検証ユニットは更に、前記端末SIMカードにおける個人情報により、前記端末がオペレータでオープンしたサービス権限を取得するように設定される。
【００１３】
好ましくは、前記処理ユニットは、端末の上層アプリケーションプログラムから送信した操作指令を受信し、前記操作指令を分析処理し、前記操作指令からNFC操作のタイプを分析するとともに、前記NFCデバイスから送信したオリジナルNFCデータを受信し、前記オリジナルNFCデータにデータチェック、データ濾過、データ分析及びデータ処理を行った後前記上層アプリケーションプログラムに送信するように設定される。
【００１４】
本発明の実施例は端末を更に提供し、該端末は、上記の任意のNFCアプリケーションとオペレータとをバインディングする装置を含む。
【発明の効果】
【００１５】
本発明の実施例によるNFCアプリケーションとオペレータとをバインディングする方法、装置及び端末は、受信した操作指令を分析処理することにより、NFC操作のタイプを分析し、且つ前記NFC操作のタイプにより前記操作指令がオペレータのサービス権限内にあるかどうかを判断し、前記操作指令は前記端末がオペレータでオープンしたNFCサービス権限内にあると確定される場合、更に前記操作指令を実行し、オペレータ関連権限を取得するユーザのみは端末のNFCデバイスを使用することができ、それにより、NFCアプリケーションとオペレータとのバインディングを実現する。
【図面の簡単な説明】
【００１６】
【図１】図1は関連技術のNFCミドルウェアの構造模式図である。
【図２】図2は本発明の実施例1におけるNFCアプリケーションとオペレータとをバインディングする方法のフローチャートである。
【図３】図3は本発明の実施例1及び2におけるNFCミドルウェア構造模式図である。
【発明を実施するための形態】
【００１７】
以下、図面を参照しながら本発明の好ましい実施例を具体的に説明し、図面は本願の一部を構成して、本発明の実施例とともに本発明の原理を説明することに用いられる。目的を明確して簡素化するために、本発明の主旨が不明である可能性がある場合、本文に記載の部材における既存機能と構造の詳しくて具体的な説明を省略する。衝突しない場合には、本出願における実施例及び実施例における特徴を相互に組み合わせることができる。
【００１８】
実施例1
本発明の実施例はNFCアプリケーションとオペレータとをバインディングする方法を提供し、図2と3に示すように、該方法は、以下のステップS201〜S208を含む。
【００１９】
S201、NFCミドルウェアは端末の上層アプリケーションプログラムから送信した操作指令を受信する。
【００２０】
S202、データ処理ユニットとデータ分析ユニットは前記操作指令を分析処理し、前記操作指令からNFC操作のタイプを分析する。
【００２１】
S203、ユーザ権限検証ユニットは前記端末SIMカードにおける個人情報により前記端末がオペレータでオープンしたサービス権限を取得するとともに、前記NFC操作のタイプにより前記操作指令がオペレータのサービス権限内にあるかどうかを判断し、前記操作指令は前記端末がオペレータでオープンしたNFCサービス権限内にあると確定する場合、前記操作指令をNFCデバイスに送信する。
【００２２】
本発明の実施例における前記NFC操作のタイプは、電子決済、オンラインセキュリティ検証、モバイルコンピューティング、リアルタイムデータ収集又は位置情報の発信を含む。
【００２３】
S204、前記NFCデバイスは前記操作指令における情報によりオリジナルNFCデータを読み取るとともに前記データチェックユニットに送信する。
【００２４】
S205、データチェックユニットは前記オリジナルNFCデータに対してプロトコルの規定に従って完成性と正確性のチェックを行うとともに、チェック後のデータをデータ濾過ユニットに送信する。
【００２５】
S206、データ濾過ユニットは前記オリジナルNFCデータを濾過し、データを繰り返して読み取ることを防止する。
【００２６】
S207、データ分析ユニットは前記オリジナルNFCデータを分析及び予め処理し、且つ予め処理した後のデータをデータ処理ユニットに送信する。
【００２７】
S208、データ処理ユニットはデータ分析ユニットから送信したデータを統合し、端末の上層アプリケーションプログラムが識別することができるデータフォーマットに変換するとともに、前記上層アプリケーションプログラムに送信する。
【００２８】
本発明の実施例によるNFCアプリケーションとオペレータとをバインディングする方法は、受信した操作指令を分析処理することによりNFC操作のタイプを分析し、且つ前記NFC操作のタイプにより前記操作指令がオペレータのサービス権限内にあるかどうかを判断し、前記操作指令は前記端末がオペレータでオープンしたNFCサービス権限内にあると確定する場合、更に前記操作指令を実行することにより、オペレータ関連権限を取得するユーザのみが端末のNFCデバイスを使用することができ、それにより、NFCアプリケーションとオペレータのバインディングを実現する。
【００２９】
実施例2
本発明の実施例はNFCアプリケーションとオペレータとをバインディングする装置を提供し、具体的に図3を参照し、該装置は、
端末の上層アプリケーションプログラムから送信した操作指令を受信し、前記操作指令を分析処理し、前記操作指令からNFC操作のタイプを分析し、且つ前記NFCデバイスから送信したオリジナルNFCデータを受信し、前記オリジナルNFCデータに順次にデータチェック、データ濾過、データ分析及びデータ処理を行った後前記上層アプリケーションプログラムに送信するように設定される処理ユニットと、
前記端末SIMカードにおける個人情報により前記端末がオペレータでオープンしたサービス権限を取得し、前記NFC操作のタイプにより前記操作指令がオペレータのサービス権限内にあるかどうかを判断し、前記NFC操作のタイプは前記端末がオペレータでオープンしたNFCサービス権限内にあると確定する場合、前記操作指令をNFCデバイスに送信するように設定されるユーザ権限検証ユニットと、を含む。
【００３０】
実施例3
本発明の実施例は端末を提供し、該端末は上記実施例における任意のNFCアプリケーションとオペレータとをバインディングする装置を含む。
【００３１】
他の実施例において、ソフトウェアを更に提供し、該ソフトウェアは上記実施例及び好ましい実施方式に説明する技術的手段を実行することに用いられる。
【００３２】
他の実施例において、記憶媒体を更に提供し、該記憶媒体には上記ソフトウェアが記憶され、該記憶媒体はCD、フロッピーディスク、ハードディスク、消去可能なメモリ等を含むが、これらに限定されない。
【００３３】
著しく、当業者は、上記の本発明の各モジュール又は各ステップは汎用の計算装置によって実現することができ、それらは単一の計算装置に集積してよく、又は複数の計算装置からなるネットワークに配布されてもよく、選択的に、それらは、計算装置が実行可能なプログラムコードで実現してよく、それにより、それらを記憶装置に記憶して計算装置で実行してよく、且つある場合には、ここでの順序と異なる順序で示した又は記述したステップを実行してよく、又はそれらをそれぞれ各集積回路モジュールに製造して、又はそれらにおける複数のモジュール又はステップを単一の集積回路モジュールに製造して実現してよいことを了解すべきである。このように、本発明はいずれの特定のハードウェアとソフトウェアの組み合わせに限定されたものではない。
【００３４】
上記のものは単に本発明の好ましい実施例であるだけで、本発明の保護範囲を限定するためのものではない。いずれの当業者は本発明に開示された技術範囲内に、考えやすい変化又は切替は、いずれも本発明の保護範囲に含まれるべきである。このため、本発明の保護範囲は請求項の保護範囲を標準とする。
【産業上の利用可能性】
【００３５】
本発明の実施例によって、オペレータ関連権限を取得するユーザのみは端末のNFCデバイスを使用することができ、それにより、NFCアプリケーションとオペレータとのバインディングを実現する。
【図１】
2016510190.tif 000003
【図２】
2016510190.tif 000004
【図３】
2016510190.tif 000005
【国際調査報告】
2016510190.tif 000006
2016510190.tif 000007
2016510190.tif 000008
2016510190.tif 000009
2016510190.tif 000010
2016510190.tif 000011